(57)【要約】【課題】緊急時に個人緊急情報を送信することができるようにしつつ、セキュリティを向上させることができる個人緊急情報送信装置、個人緊急情報送信方法、個人緊急情報送信プログラムおよび個人緊急情報送信システムを提供すること。【解決手段】個人緊急情報と、期間情報と、送信ステイタス情報とを記憶部２２に記憶させる登録制御部２０２と、使用者端末５から送信される個人識別情報および送信要求を入力すると、送信要求を入力した時が送信可能期間であって、かつ送信ステイタス情報がオンの場合に、個人緊急情報を使用者端末５に送信し、一方送信要求を入力した時が送信可能期間であって、かつ送信ステイタス情報がオフまたはポーズの場合には、個人緊急情報を使用者端末５に送信しない送信制御部２０１とを備え、登録制御部２０２は、送信可能期間が過ぎると、送信ステイタス情報をオフに切り換える送信ステイタス切り換え部２０２ｄを備える。【選択図】図１
2020107922.tif 000002
【特許請求の範囲】
【請求項１】
使用者端末が個人識別情報を入力し前記個人識別情報および送信要求を送信すると、前記個人識別情報に対応する個人緊急情報を前記使用者端末に送信する個人緊急情報送信装置であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を備える個人緊急情報送信装置。
【請求項２】
前記送信ステイタス切り換え部は、
前記送信可能期間が過ぎた時に、前記送信ステイタス情報を前記ポーズに切り換え、所定の期間のうちに前記送信可能期間が延長されない場合に、前記送信ステイタス情報を前記オフに切り換える請求項１に記載の個人緊急情報送信装置。
【請求項３】
前記送信可能期間が過ぎる前に、注意を喚起しかつ前記送信可能期間の延長を案内するメールを管理者端末に送信するメール送信部と
を備える請求項１または２に記載の個人緊急情報送信装置。
【請求項４】
前記送信ステイタス切り換え部は、
操作者からの指示操作により、前記送信ステイタス情報を前記オンから前記オフもしくは前記ポーズに選択的に切り換え、または、前記送信ステイタス情報を前記ポーズから前記オンに切り換える請求項１から３のいずれか一項に記載の個人緊急情報送信装置。
【請求項５】
前記記憶部は、一または複数の前記個人識別情報に対応するグループごとのグループ識別情報の登録有無を記憶しており、
前記送信制御部は、
前記使用者端末から送信される前記個人識別情報および前記送信要求を入力すると、前記記憶部から前記グループ識別情報の登録有無を読み出し、前記グループ識別情報が登録されている場合に、前記個人識別情報に対応する前記個人緊急情報、前記期間情報および前記送信ステイタス情報を前記記憶部から読み出し、一方前記グループ識別情報が登録されていない場合には、前記個人緊急情報を前記端末に送信しない請求項１から４のいずれか一項に記載の個人緊急情報送信装置。
【請求項６】
前記記憶部は、一または複数の前記個人識別情報に対応するグループごとのグループ識別情報の登録有無を記憶しており、
前記送信可能期間が過ぎると、前記グループに属するすべての前記個人識別情報に対応する前記個人緊急情報のうちの個人属性情報を残して個人医療情報を前記記憶部から削除する削除制御部を備える請求項１から５のいずれか一項に記載の個人緊急情報送信装置。
【請求項７】
前記記憶部は、一または複数の前記個人識別情報に対応するグループごとのグループ識別情報の登録有無を記憶しており、
前記送信ステイタス切り換え部は、
前記送信可能期間が過ぎると、前記グループに属するすべての前記個人識別情報に対応する前記送信ステイタス情報を前記オフに切り換える請求項１から６のいずれか一項に記載の個人緊急情報送信装置。
【請求項８】
使用者端末が個人識別情報を入力し前記個人識別情報および送信要求を送信すると、前記個人識別情報に対応する個人緊急情報を前記使用者端末に送信する個人緊急情報送信方法であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信方法。
【請求項９】
使用者端末が個人識別情報を入力し前記個人識別情報および送信要求を送信すると、前記個人識別情報に対応する個人緊急情報を前記使用者端末に送信する個人緊急情報送信装置における個人緊急情報送信プログラムであって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信プログラム。
【請求項１０】
使用者端末と、前記使用者端末が個人識別情報を入力し前記個人識別情報および送信要求を送信すると、前記個人識別情報に対応する個人緊急情報を前記使用者端末に送信する個人緊急情報送信装置とを備える個人緊急情報送信システムであって、
前記緊急情報送信装置は、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を
を備える個人緊急情報送信システム。
【発明の詳細な説明】
【技術分野】
【０００１】
本発明は、個人緊急情報送信装置、個人緊急情報送信方法、個人緊急情報送信プログラムおよび個人緊急情報送信システムに関する。
【背景技術】
【０００２】
従来、個人緊急情報を事前に登録しておき、緊急事態が発生した場合に、その個人緊急情報を現場の使用者端末に送信する種々のシステムが知られている（例えば、特許文献１参照。）。
【先行技術文献】
【特許文献】
【０００３】
【特許文献１】特開２０１６−９９８６０号公報
【発明の概要】
【発明が解決しようとする課題】
【０００４】
しかしながら、このようなシステムでは、不正な送信要求に対しても重要な個人緊急情報が安易に送信されてしまうという問題がある。
【０００５】
以上に鑑みて、本発明は、緊急時に個人緊急情報を送信することができるようにしつつ、セキュリティを向上させることができる個人緊急情報送信装置、個人緊急情報送信方法、個人緊急情報送信プログラムおよび個人緊急情報送信システムを提供することを目的とする。
【課題を解決するための手段】
【０００６】
上記課題を解決するために、以下の手段を提供する。
本発明は、使用者端末が個人識別情報を入力し前記個人識別情報および送信要求を送信すると、前記個人識別情報に対応する個人緊急情報を前記使用者端末に送信する個人緊急情報送信装置であって、前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、前記登録制御部は、前記送信可能期間が過ぎると、前記送信ステイタス情報を前記オフに切り換える送信ステイタス切り換え部を備える。
【発明の効果】
【０００７】
本願の一観点によれば、緊急時に個人緊急情報を送信することができるようにしつつ、セキュリティを向上させることができる。
【図面の簡単な説明】
【０００８】
【図１】本発明の実施形態としての個人緊急情報送信システムを示す全体構成図である。
【図２】個人緊急情報送信装置が記憶する情報の構造および関係を示すＥＲ図である
【図３】個人緊急情報送信装置が各種情報を登録する処理動作を示すフローチャートである。
【図４】個人緊急情報送信装置が表示する画面の一例を示すものであり、（ａ）は登録ライセンス一覧画面、（ｂ）はライセンス登録画面を示すものである。
【図５】管理者端末が表示する登録画面の一例を示すものであり、登録個人属性情報一覧画面を示すものである。
【図６】管理者端末が表示する登録画面の一例を示すものであり、メイン個人属性情報登録画面を示すものである。
【図７】管理者端末が表示する登録画面の一例を示すものであり、緊急連絡先情報登録画面を示すものである。
【図８】管理者端末が表示する画面の一例を示すものであり、（ａ）は登録グループ一覧画面、（ｂ）はグループ情報登録画面を示すものである。
【図９】管理者端末が表示する登録画面の一例を示すものであり、登録個人医療情報一覧画面を示すものである。
【図１０】管理者端末が表示する登録画面の一例を示すものであり、個人医療情報登録画面を示すものである。
【図１１】個人緊急情報送信システムの処理動作を示すラダーチャートである。
【図１２】使用者端末が表示する画面の一例を示すものであり、（ａ）はアラート画面、（ｂ）は再読み込み画面を示すものである。
【図１３】使用者端末が表示する画面の一例を示すものであり、（ａ）は意識情報確認画面、（ｂ）はケガ情報確認画面、（ｃ）は出血情報確認画面を示すものである。
【図１４】使用者端末が表示する画面の一例を示すものであり、個人緊急情報表示画面を示すものである。
【図１５】個人緊急情報送信装置の各種管理機能等の処理動作を示すフローチャートである。
【発明を実施するための形態】
【０００９】
（実施形態）
以下、本発明の実施形態における個人緊急情報送信装置、個人緊急情報送信方法、個人緊急情報送信プログラムおよび個人緊急情報送信システムについて説明する。
図１は、個人緊急情報送信システム１を示す全体構成図である。
個人緊急情報送信システム１は、個人緊急情報送信装置２と、管理者端末３と、ライセンス登録端末４と、使用者端末５と、不図示の本人用端末と、不図示の統括者用端末と、不図示の緊急連絡先端末とを備えており、これらがネットワークを介して接続されて構成されている。
個人緊急情報送信装置２は、例えば、個人緊急情報送信システム１において個人緊急情報の送信サービスを提供するサービス提供企業内に設置されるサーバである。
この個人緊急情報送信装置２は、制御部２０と、通信部２１と、記憶部２２と、操作部２３と、表示部２４とを備えている。
制御部２０は、例えば、プロセッサ、ＣＰＵ等の演算手段によって実現され、各種のメモリ、ハードディスク等の記憶手段と協働して機能し、各種のプログラムを実行する。この制御部２０は、メイン制御部２００と、送信制御部２０１と、登録制御部２０２とを備えている。
【００１０】
メイン制御部２００は、定期的に計時情報を生成し、後述する送信可能期間を定期的に監視するとともに、各種のプログラムを実行して各種構成部及び各機能部間の制御及び装置全体の制御を実行する。
送信制御部２０１は、使用者端末５から送信されるライセンスＩＤ（個人識別情報）および送信要求等を入力すると、個人識別情報に対応する個人緊急情報を記憶部２２から読み出し、この個人緊急情報等を各種端末に送信する。
登録制御部２０２は、後述するライセンス情報、個人緊急情報、グループ情報、送信ステイタス情報および期間情報等を設定登録する。つまり、登録制御部２０２は、個人緊急情報を送信するための各種情報を記憶部２２に記憶する。また、登録制御部２０２は、所定のメールを送信したり、所定の情報を削除したりする。この登録制御部２０２は、ライセンス設定登録部２０２ａと、個人緊急情報設定登録部２０２ｂと、グループ設定登録部２０２ｃと、送信ステイタス設定登録部（送信ステイタス切り換え部）２０２ｄと、期間情報設定登録部２０２ｅと、メール送信部２０２ｆと、削除制御部２０２ｇとを備えている。
【００１１】
ライセンス設定登録部２０２ａは、個人を識別するためのユニークなライセンスＩＤ（個人識別情報）を生成し記憶部２２に記憶する。またライセンス設定登録部２０２ａは、使用者端末５が緊急時にアクセスするためのＵＲＬにライセンスＩＤを付加して記憶部２２に記憶し、これらＵＲＬおよびライセンスＩＤに基づいてＱＲコード（登録商標）を生成する。このＱＲコード（登録商標）は、緊急時に被害者となる本人によって予め身の回り品や所定の場所に貼られて使用されるものである。身の回り品としては、例えば、財布、カバン、時計、洋服、帽子、靴、ヘルメット、携帯機器および工具などがある。所定の場所としては、例えば、玄関、事務所、机、椅子などがある。もちろん、貼られる箇所としてはこれらに限定されないことは言うまでもない。
【００１２】
個人緊急情報設定登録部２０２ｂは、管理者端末３からの指示に応じて、個人緊急情報を入力し記憶部２２に記憶する。
なお、個人緊急情報とは、緊急時に被害者となる本人に関する情報をいうものであり、個人属性情報および個人医療情報を含むものである。
個人属性情報とは、本人の属性情報であり、例えば、氏名、メールアドレス、性別、生年月日、電話番号、住所などの少なくとも一つを含むものである。
個人医療情報とは、本人の医療に関する情報であり、例えば、血液型、身長、体重、現在の病気やケガ、特定疾病、アレルギー、薬物治療の有無、現在飲んでいる薬、病歴などの少なくとも一つを含むものである。
グループ設定登録部２０２ｃは、管理者端末３からの指示に応じて、一又は複数の個人をまとめたグループ情報を入力し記憶部２２に記憶する。グループ設定登録部２０２ｃは、一つのグループに、一又は複数のライセンスＩＤを紐付け、また複数のグループ情報も登録可能である。さらに、グループ設定登録部２０２ｃは、複数のグループ情報を登録していても、ライセンスＩＤをいずれか一つのグループに択一的にのみ紐付けることができ、同時期に複数の異なるグループにまたがってライセンスＩＤを紐付けないようになっている。
【００１３】
送信ステイタス設定登録部２０２ｄは、管理者端末３からの指示に応じて、ライセンスＩＤごとの送信ステイタス情報を記憶部２２に記憶する。送信ステイタス情報とは、個人緊急情報の送信の可否に関する情報であって、オン、オフまたはポーズの３択からなるものである。
オンとは、送信可ステイタスのことであり、個人緊急情報を送信可能な状態を示すものである。
オフとは、不可逆的送信不可ステイタスのことである。つまり、オフとは、個人緊急情報を不可逆的に送信不可な状態を示すものであり、オンやポーズには戻せない状態を示すものである。すなわち、オフは、恒久的に送信不可な状態となる。そのため、一旦、オフに設定すると、当該ライセンスＩＤは無効となり、オンにするには、新たな別のライセンスＩＤを登録しなければならない。
ポーズとは、可逆的送信不可ステイタスのことである。つまり、ポーズとは、個人緊急情報を可逆的に送信不可な状態を示すものであり、オンに戻せる状態を示すものである。すなわち、ポーズは、一時的に送信不可な状態となる。そのため、ライセンスＩＤ自体は有効であり、同一のライセンスＩＤのまま、オンに切り換えることができる。すなわち、送信ステイタス設定登録部２０２ｄは、オンとポーズとの間では、同一のライセンスＩＤのままステイタスを適宜切り換えるものの、オフになっているともはや切り換えないようになっている。なお、送信ステイタス設定登録部２０２ｄは、オンからオフへと切り換えることもでき、ポーズからオフへと切り換えることもできる。
【００１４】
期間情報設定登録部２０２ｅは、管理者端末３からの指示に応じて、期間情報を記憶部２２に記憶する。
期間情報とは、個人緊急情報を送信することができる送信可能期間を含むものである。例えば、期間情報は、送信可能期間開始日や送信可能期間終了日などを含んでいる。
メール送信部２０２ｆは、送信可能期間が終了する旨の注意を喚起しかつ送信可能期間の延長を案内するメールなどを管理者端末３に送信する。
削除制御部２０２ｇは、送信可能期間が過ぎると、個人緊急情報のうち、個人属性情報のみを残して、個人医療情報のみを記憶部２２から削除する。
【００１５】
通信部２１は、例えば、外部機器との情報の送受信を行う各種通信デバイスなどからなり、個人緊急情報、位置情報や各種メールなどを各端末に送信したり、各端末から送信される情報や指示、要求などを入力したりする。
記憶部２２は、例えば、ハードディスクやメモリなどからなり、ライセンスＩＤ、個人緊急情報、グループ情報、送信ステイタス情報および期間情報などの他、各種プログラムや作業データなどを記憶する。
【００１６】
図２は、記憶部２２が記憶する情報の構造および関係を示すＥＲ図である。
記憶部２２は、ライセンステーブル１００Ｔと、グループテーブル２００Ｔと、メイン個人属性情報テーブル３００Ｔと、個人緊急連絡先情報テーブル４００Ｔと、個人医療情報テーブル５００Ｔと、各種医療系マスタテーブル６００Ｔと、閲覧履歴テーブル７００Ｔとを記憶する。
ライセンステーブル１００Ｔは、例えば、ライセンスＩＤ、グループＩＤ、パスワード、ＵＲＬ、送信ステイタスおよび登録日を含んでいる。なお、ライセンスＩＤとは、個人識別情報として機能するものであり、ユニークな識別コードである。
グループテーブル２００Ｔは、例えば、グループＩＤ（グループ識別情報）、グループ名、パスワード、送信可能期間開始日、送信可能期間終了日および統括者メールアドレスを含んでいる。グループテーブル２００Ｔとライセンステーブル１００Ｔとは、グループＩＤによって紐付けられている。なお、ここでの送信可能期間開始日および送信可能期間終了日が、期間情報として機能する。また、統括者メールアドレスとは、このグループの責任者やリーダーとなる者のメールアドレスである。
【００１７】
メイン個人属性情報テーブル３００Ｔは、例えば、個人属性情報ＩＤ、ライセンスＩＤ、氏名、氏名（ローマ字）、生年月日、性別、部署ＩＤ、メールアドレス、電話番号および送信ステイタスを含んでいる。メイン個人属性情報テーブル３００Ｔとライセンステーブル１００Ｔとは、ライセンスＩＤによって紐付けられている。なお、ここでのメールアドレスは、被害者となり得る本人のメールアドレスである。
個人緊急連絡先情報テーブル４００Ｔは、本人と関係する緊急連絡先の情報を含むものであり、例えば、連絡先ＩＤ、個人属性情報ＩＤ、氏名、メールアドレス、電話番号および本人との関係を含んでいる。個人緊急連絡先情報テーブル４００Ｔとメイン個人属性情報テーブル３００Ｔとは、個人属性情報ＩＤによって紐付けられている。
なお、ここでのメールアドレスは、本人と関係する緊急連絡先のメールアドレスである。これらメイン個人属性情報テーブル３００Ｔおよび個人緊急連絡先情報テーブル４００Ｔの情報が、個人属性情報として機能する。
【００１８】
個人医療情報テーブル５００Ｔは、例えば、個人医療情報ＩＤ、個人属性情報ＩＤおよび各種医療情報を含んでいる。個人医療情報テーブル５００Ｔとメイン個人属性情報テーブル３００Ｔとは、個人属性情報ＩＤによって紐付けられている。
なお、個人医療情報テーブル５００Ｔの情報が個人医療情報として機能する。さらに、メイン個人属性情報テーブル３００Ｔ、個人緊急連絡先情報テーブル４００Ｔおよび個人医療情報テーブル５００Ｔの情報が、個人緊急情報として機能する。
各種医療系マスタテーブル６００Ｔは、例えば、ＩＤ、名称および名称（英語）を含んでいる。
閲覧履歴テーブル７００Ｔは、例えば、閲覧履歴ＩＤ、個人医療情報ＩＤ、閲覧日時、位置情報および安否情報を含んでいる。閲覧履歴テーブル７００Ｔと個人医療情報テーブル５００Ｔとは、個人医療情報ＩＤによって紐付けられている。
【００１９】
操作部２３は、例えばキーボード、マウス、タッチパッドまたはボタンなどからなり、操作者からの各種指示操作を受け付け、各種指示を制御部２０に入力する。
表示部２４は、例えばモニタ、ディスプレイなどからなり、各種の画面等を表示する。
【００２０】
ライセンス登録端末４は、例えば、サービス提供企業内に設置されて主としてライセンスの設定登録を管理する端末である。
このライセンス登録端末４は、ライセンス登録制御部４０と、通信部４１と、記憶部４２と、操作部４３と、表示部４４とを備えている。
ライセンス登録制御部４０は、例えば、プロセッサ、ＣＰＵ等の演算手段によって実現され、各種のメモリ、ハードディスク等の記憶手段と協働して機能し、各種のプログラムを実行する。またライセンス登録制御部４０は、ライセンス登録画面などを生成して表示部４４に表示させ、通信部４１を介して操作部４３からの指示を個人緊急情報送信装置２に送信する。
通信部４１は、例えば、外部機器との情報の送受信を行う各種通信デバイスなどからなり、操作部４３からの指示を個人緊急情報送信装置２に送信したり、個人緊急情報送信装置２からのライセンス登録画面のデータ等を入力する。
記憶部４２は、例えば、ハードディスクやメモリなどからなり、個人緊急情報送信装置２からのライセンス登録画面データ等の他、各種プログラムや作業データなどを記憶する。
操作部４３は、例えばキーボード、マウス、タッチパッドまたはボタンなどからなり、操作者からの各種指示操作を受け付け、各種指示をライセンス登録制御部４０に入力する。
表示部４４は、例えばモニタ、ディスプレイなどからなり、操作者からのライセンスの登録指示操作を受け付けるためのライセンス登録画面等を表示する。
【００２１】
管理者端末３は、例えば、個人緊急情報送信システム１において個人緊急情報の送信サービスを受けるサービス受入企業内に設置されて当該企業内で管理されるものである。この管理者端末３は、情報登録制御部３０と、通信部３１と、記憶部３２と、操作部３３と、表示部３４とを備えている。
情報登録制御部３０は、例えば、プロセッサ、ＣＰＵ等の演算手段によって実現され、各種のメモリ、ハードディスク等の記憶手段と協働して機能し、各種のプログラムを実行する。また情報登録制御部３０は、個人緊急情報などの各種情報の登録画面を生成して表示部３４に表示させ、操作部３３からの指示を通信部３１を介して個人緊急情報送信装置２に送信する。
通信部３１は、例えば、外部機器との情報の送受信を行う各種通信デバイスなどからなり、操作部３３からの指示を個人緊急情報送信装置２に送信したり、個人緊急情報送信装置２からの各種情報の登録画面データを入力する。
記憶部３２は、例えば、ハードディスクやメモリなどからなり、個人緊急情報送信装置２からの各種情報の登録画面データのなどの他、各種プログラムや作業データなどを記憶する。
操作部３３は、例えばキーボード、マウス、タッチパッドまたはボタンなどからなり、操作者からの各種指示操作を受け付け、各種指示を情報登録制御部３０に入力する。
表示部３４は、例えばモニタ、ディスプレイなどからなり、操作者からの各種情報の登録指示操作を受け付けるための各種の登録画面等を表示する。
【００２２】
使用者端末５は、緊急時の現場で使用するものが所持する端末であり、例えばスマートフォンや携帯電話等である。この使用者端末５は、ＱＲコード（登録商標）を読み取る不図示の読取り部と、ＧＰＳなどによる不図示の位置情報取得部と、各種情報の送受信を行う送受信制御部と、個人緊急情報などを表示する不図示の表示部と、個人状態情報を生成する不図示の個人状態情報生成部とを備えている。
そして、読取り部がＱＲコード（登録商標）を読み取り、ＵＲＬおよびライセンスＩＤに変換すると、送受信制御部は、ライセンスＩＤおよび送信要求を個人緊急情報送信装置２に送信する。また、送受信制御部は、位置情報取得部が取得した位置情報と個人状態情報生成部が生成した個人状態情報とを個人緊急情報送信装置２に送信する。なお、個人状態情報とは、被害者本人の緊急状態の情報であり、意識情報、ケガ情報または出血情報の少なくとも一つを含むものである。さらに、送受信制御部は、個人緊急情報送信装置２から送信される個人緊急情報を入力し表示部に表示させる。
【００２３】
不図示の本人用端末は、被害者本人が所持する端末であり、例えばスマートフォンや携帯電話等である。この本人用端末は、少なくとも表示部を備えており、個人緊急情報送信装置２が送信する個人緊急情報および位置情報などを入力し、表示部に表示させる。
不図示の統括者用端末および緊急連絡先端末は、本人用端末と同様の構成であり、ここでの説明を省略する。
なお、統括者用端末は、グループの責任者やリーダーが所持する端末であり、緊急連絡先端末は、本人と関係する緊急連絡先の者（例えば、家族、知人、医者、管理人等）が所持する端末である。
【００２４】
次に、個人緊急情報送信システム１の処理動作について説明する。
最初に、個人緊急情報送信装置２が、各種の情報を登録する処理動作について説明する。
図３は、個人緊急情報送信装置２が各種情報を登録する処理動作（登録制御ステップ）を示すフローチャートである。
まず、ライセンス設定登録部２０２ａがライセンスの登録を行う（ステップＳ１）。
具体的には、ライセンス登録端末４の表示部４４がライセンス登録画面を表示した状態において、サービス提供企業の操作者が操作部４３を操作することによってライセンスＩＤの登録が行われる。
図４は、表示部４４が表示する登録ライセンス一覧画面およびライセンス登録画面を示すものである。
操作者は、操作部４３を介して、パスワードを入力しログインして不図示の「ライセンス」をクリックすると、ライセンス設定登録部２０２ａが図４（ａ）に示す登録ライセンス一覧画面を表示部４４に表示させる。登録ライセンス一覧画面は、登録されているライセンスのグループ名、ライセンス名および送信ステイタスを一覧で示すものである。最初にライセンスを登録した状態においては、対応するグループは登録されておらず、後述するグループが登録されると、ライセンス名と対応するグループ名が表示される。
なお、送信ステイタスのうち、「○」はオンを示し、「△」はポーズを示し、「×」はオフを示している。
また、操作者がグループ内の所定のグループ名または所定のライセンス名をクリックすると、対応する個別のライセンス登録画面に移り、ライセンス情報の編集が可能になる。
【００２５】
操作者は、登録ライセンス一覧画面において、操作部４３を介して「ライセンスを追加」をクリックすると、ライセンス設定登録部２０２ａは、図４（ｂ）に示すライセンス登録画面を表示部４４に表示させる。そして、操作者は、操作部４３を介して、ライセンス名を入力し、「保存」をクリックすると、操作部４３がライセンス名およびライセンス登録指示をライセンス登録制御部４０に出力する。ライセンス登録制御部４０は、通信部４１を介してライセンス名およびライセンス登録指示を個人緊急情報送信装置２に送信する。
個人緊急情報送信装置２のライセンス設定登録部２０２ａは、ライセンス登録端末４が送信したライセンス名およびライセンス登録指示を通信部２１を介して入力すると、ライセンスＩＤを生成し当該ライセンスＩＤおよびライセンス名を紐付けて記憶部２２に記憶するとともに、このライセンスＩＤとＵＲＬを合わせて記憶部２２に記憶する。これにより、「ＵＲＬ」の欄にＵＲＬが表示される。
なお、ライセンス名とライセンスＩＤとは異なるものである。すなわち、ライセンス名は、操作者の操作によって入力されるユニークな名前またはコードであって表示部３４，４４に表示されるものであり、ライセンスＩＤは、ライセンス設定登録部２０２ａが生成するユニークな識別コードであって表示部３４，４４に直接的に表示されるものではない。
【００２６】
これにより、ライセンス設定登録部２０２ａはライセンスＩＤの登録を行う。このライセンスＩＤの登録の情報は、ライセンステーブル１００Ｔに対応しておりライセンス設定登録部２０２ａが各種情報を記憶部２２に記憶する。
なお、ライセンス設定登録部２０２ａは、操作者からの指示がグループを設定しない場合には、グループ情報を紐付けることなく、グループ情報を除いてライセンスＩＤの登録を行う。また、グループ情報が事前に登録されている場合には、操作部４３からの指示によって、ライセンス設定登録部２０２ａがライセンスＩＤとグループＩＤとを紐付けることも可能である。なお、ライセンス設定登録部２０２ａが新たなライセンスＩＤを登録すると、送信ステイタス設定登録部２０２ｄが、初期設定として送信ステイタス情報をオンに設定する。
また、ライセンス設定登録部２０２ａは、ライセンス登録画面において、既に登録されているライセンス名等の修正を操作者の操作によって任意のタイミングで行うことができることは言うまでもない。
【００２７】
ステップＳ２以降の処理動作は、サービス受入企業の操作者による管理者端末３の操作に応じて、個人緊急情報送信装置２が行うものである。
管理者端末３の指示によって、個人緊急情報設定登録部２０２ｂは、個人属性情報の登録を行う（ステップＳ２）。
具体的には、表示部３４がメイン個人属性情報登録画面および緊急連絡先情報登録画面を表示した状態において、操作者が操作部３３を操作することによって個人属性情報の登録が行われる。
図５は、表示部３４が表示する登録個人属性情報一覧画面を示すものであり、図６は、メイン個人属性情報登録画面を示すものであり、図７は、緊急連絡先情報登録画面を示すものである。これらメイン個人属性情報登録画面および緊急連絡先情報登録画面は、縦に一体として繋がっている。
【００２８】
操作者は、操作部３３を介して、パスワードを入力しログインして不図示の「個人情報」をクリックすると、個人緊急情報設定登録部２０２ｂは、図５に示す登録個人属性情報一覧画面を表示部３４に表示させる。登録個人属性情報一覧画面は、登録されている個人属性情報の姓、名、緊急時メールアドレスおよび送信ステイタスを一覧で示すものである。
なお、操作者が姓名の所定の姓または名をクリックすると、対応する個別のメイン個人属性情報登録画面に移り、個人属性情報の編集が可能になる。
【００２９】
操作者は、登録個人属性情報一覧画面において、操作部３３を介して「個人情報を追加」をクリックすると、個人緊急情報設定登録部２０２ｂは、図６および図７に示すメイン個人属性情報登録画面および個人緊急連絡先情報登録画面を表示部３４に表示させる。
操作者は、ステップＳ１によって事前に登録されているライセンス名を操作部３３を介してプルダウンメニューから選択する。これによって、ライセンスと個人属性情報との紐付けが行われる。そして、操作者は、操作部３３を介して、氏名、緊急時メールアドレス、性別、生年月日、電話番号、住所や図６に示す各種情報と、緊急連絡先名、緊急連絡先氏名、緊急時メールアドレスや図７に示す各種情報とを入力して、不図示の「保存」をクリックする。すると、操作部３３は、入力された個人属性情報および個人属性情報登録指示を情報登録制御部３０に出力する。情報登録制御部３０は、個人属性情報および個人属性情報登録指示を入力すると、これら個人属性情報および個人属性情報登録指示を通信部３１を介して個人緊急情報送信装置２に送信する。
【００３０】
個人緊急情報設定登録部２０２ｂは、通信部２１を介して、個人属性情報および個人属性情報登録指示を入力すると、個人属性情報ＩＤを生成し、ライセンスＩＤと個人属性情報ＩＤとを紐付けて個人属性情報を記憶部２２に記憶する。この個人属性情報は、メイン個人属性情報テーブル３００Ｔおよび個人緊急連絡先情報テーブル４００Ｔに対応しており、個人緊急情報設定登録部２０２ｂは各種情報を記憶部２２に記憶する。
なお、個人緊急情報設定登録部２０２ｂは、メイン個人属性情報登録画面において、既に登録されている個人属性情報の修正、追加および削除等を操作者の操作によって任意のタイミングで行うことができることは言うまでもない。
【００３１】
次いで、グループ設定登録部２０２ｃがグループ情報の登録を行い、期間情報設定登録部２０２ｅが期間情報の登録を行う（ステップＳ３）。
具体的には、表示部３４がグループ情報登録画面を表示した状態において、操作者が操作部３３を操作することによってグループ情報および期間情報の登録が行われる。
図８は、表示部３４が表示する登録グループ一覧画面およびグループ情報登録画面を示すものである。
操作者は、操作部３３を介して、不図示の「グループ」をクリックすると、グループ設定登録部２０２ｃは、図８（ａ）に示す登録グループ一覧画面を表示部３４に表示させる。登録グループ一覧画面は、登録されているグループ情報のグループ名、送信可能期間の開始日、送信可能期間の終了日、所属ユーザおよびその送信ステイタスを一覧で示すものである。
なお、操作者が所定のグループ名をクリックすると、対応する個別のグループ登録画面に移り、グループ情報の編集が可能になる。
【００３２】
操作者は、登録グループ一覧画面において、操作部３３を介して「グループを追加」をクリックすると、グループ設定登録部２０２ｃは、図８（ｂ）に示すグループ情報登録画面を表示部３４に表示させる。
操作者は、操作部３３を介してユニークなグループ名、緊急時メールアドレス、送信可能期間の開始日および送信可能期間の終了日を入力する。これによって、グループ情報と期間情報との紐付けが行われる。そして、操作者は、操作部３３を介して、「保存」をクリックする。すると、操作部３３は、グループ情報、期間情報および各種登録指示を情報登録制御部３０に出力する。情報登録制御部３０は、これらグループ情報、期間情報および各種登録指示を通信部３１を介して個人緊急情報送信装置２に送信する。
【００３３】
グループ設定登録部２０２ｃは、通信部２１を介して、グループ情報および登録指示を入力すると、グループＩＤを生成し当該グループＩＤおよびグループ情報を記憶部２２に記憶する。また、期間情報設定登録部２０２ｅは、通信部２１を介して、期間情報および登録指示を入力すると、期間情報を記憶部２２に記憶する。これらグループ情報および期間情報は、グループテーブル２００Ｔに対応しており各種情報が記憶部２２に記憶される。
なお、グループ設定登録部２０２ｃは、グループ情報登録画面において、既に登録されているグループ情報の修正、追加および削除等を操作者の操作によって任意のタイミングで行うことができることは言うまでもない。また、期間情報設定登録部２０２ｅは、グループ情報登録画面において、既に登録されている送信可能期間の開始日および終了日の修正（短縮や延長等）等を操作者の操作によって任意のタイミングで行うことができることは言うまでもない。
【００３４】
次いで、ライセンス設定登録部２０２ａがライセンスとグループとの紐付けを行う（ステップＳ４）。
具体的には、表示部３４が図４（ｂ）に示すライセンス登録画面を表示した状態において、操作者が操作部３３を操作することによってライセンスとグループと紐付けが行われる。
すなわち、操作者は、ライセンス登録画面において、ステップＳ３によって事前に登録されているグループ名を操作部３３を介してプルダウンメニューから選択する。これによって、ライセンスＩＤとグループＩＤとが紐付けられ、ライセンスとグループとが紐付けられる。そして、操作者は、操作部３３を介して、「保存」をクリックする。すると、操作部３３は、ライセンスとグループとの紐付け指示を情報登録制御部３０に出力する。情報登録制御部３０は、紐付け指示を通信部３１を介して個人緊急情報送信装置２に送信する。
ライセンス設定登録部２０２ａは、通信部２１を介して、紐付け指示を入力すると、ライセンスＩＤとグループＩＤとを紐付けて記憶部２２に記憶する。
なお、ライセンス設定登録部２０２ａは、ライセンス登録画面において、既に登録されているグループＩＤの削除や追加等を操作者の操作によって任意のタイミングで行うことができることは言うまでもない。
【００３５】
次いで、個人緊急情報設定登録部２０２ｂが個人医療情報の登録を行う（ステップＳ５）。
具体的には、表示部３４が個人医療情報登録画面を表示した状態において、操作者が操作部３３を操作することによって個人医療情報の登録が行われる。
図９は、表示部３４が表示する登録個人医療情報一覧画面を示すものであり、図１０は、個人医療情報登録画面を示すものである。
操作者は、操作部３３を介して、不図示の「医療情報」をクリックすると、個人緊急情報設定登録部２０２ｂは、図９に示す登録個人属性情報一覧画面を表示部３４に表示させる。登録個人医療情報一覧画面は、登録されている個人医療情報に対応する氏名を一覧で示すものである。
なお、操作者が所定の氏名をクリックすると、対応する個別の個人医療情報登録画面に移り、個人医療情報の編集が可能になる。
【００３６】
操作者は、登録個人医療情報一覧画面において、操作部３３を介して「医療情報を追加」をクリックすると、個人緊急情報設定登録部２０２ｂは、図１０に示す個人医療情報登録画面を表示部３４に表示させる。
操作者は、ステップＳ２によって事前に登録されているユーザ名（氏名）を操作部３３を介してプルダウンメニューから選択する。これによって、個人属性情報と個人医療情報との紐付けが行われる。そして、操作者は、操作部３３を介して、血液型、身長、体重、現在の病気やケガ、特定疾病、アレルギー、薬物治療の有無、現在飲んでいる薬、病歴や図１０に示す各種情報を入力して、不図示の「保存」をクリックする。すると、操作部３３は、個人医療情報および個人医療情報登録指示を情報登録制御部３０に出力する。情報登録制御部３０は、これら個人医療情報および個人医療情報登録指示を通信部３１を介して個人緊急情報送信装置２に送信する。
【００３７】
個人緊急情報設定登録部２０２ｂは、通信部２１を介して、個人医療情報および個人医療情報登録指示を入力すると、当該個人医療情報に基づいて記憶部２２からライセンスＩＤを抽出し、このライセンスＩＤにグループＩＤが紐付いているか否かを判定する。すなわち、個人緊急情報設定登録部２０２ｂは、ライセンスＩＤに対応するグループＩＤの登録有無を判定する。このとき、個人緊急情報設定登録部２０２ｂは、ライセンステーブル１００ＴからグループＩＤが記憶されているか否かによって、グループＩＤの登録有無を判定する。
【００３８】
個人緊急情報設定登録部２０２ｂは、グループＩＤが登録されていないと判定すると、グループ登録がなされていない旨を表示部３４に表示させて処理を終了する。一方、個人緊急情報設定登録部２０２ｂは、グループＩＤが登録されていると判定すると、個人医療情報を記憶部２２に記憶する。この個人医療情報は、個人医療情報テーブル５００Ｔに対応しており各種情報が記憶部２２に記憶される。
すなわち、個人緊急情報設定登録部２０２ｂは、ライセンスＩＤに対してグループＩＤが登録されていないと、個人医療情報を登録しないようになっている。
なお、個人緊急情報設定登録部２０２ｂは、個人医療情報登録画面において、既に登録されている個人医療情報の修正、追加および削除等を操作者の操作によって任意のタイミングで行うことができることは言うまでもない。
このようにして、各種の情報が登録される。
【００３９】
なお、操作者が操作部３３を介してライセンスのＱＲコード（登録商標）表示指示を入力すると、ライセンス設定登録部２０２ａは、ＵＲＬとライセンスＩＤとに基づいてＱＲコード（登録商標）を生成し、表示部３４に表示させる。そして、操作者が操作部３３を介して印刷指示を入力すると、情報登録制御部３０は、不図示の印刷機にＱＲコード（登録商標）を印刷させる。この印刷されたＱＲコード（登録商標）を本人に渡して、本人が所定の箇所にＱＲコード（登録商標）を貼付する。
【００４０】
なお、表示部３４が図５に示す登録個人属性情報一覧画面、図６に示すメイン個人属性情報登録画面、または図８（ｂ）に示すグループ情報登録画面を表示している場合において、操作者が、操作部３３を介して、任意のタイミングで送信ステイタスを「○」「△」「×」のいずれかをプルダウンメニューから選択すると、情報登録制御部３０が変更指示を送信し、送信ステイタス設定登録部２０２ｄは、送信ステイタス情報をオン、ポーズまたはオフに変更して記憶部２２に記憶させる。なお、送信ステイタス設定登録部２０２ｄは、オンとポーズとの間では変更登録を行うが、オフへの変更指示を入力すると、オフとして記憶部２２に記憶させ、それ以後に同一ライセンスＩＤにおいてオンまたはポーズへの変更指示を入力しても変更登録を行わない。
【００４１】
また、表示部３４が図８（ｂ）に示すグループ情報登録画面を表示している場合において、操作者が、操作部３３を介して、任意のタイミングで送信可能期間の終了日の開始日または終了日を変更すると、情報登録制御部３０が変更指示を送信し、期間情報設定登録部２０２ｅは、期間情報を変更して記憶部２２に記憶させる。
【００４２】
次に、ＱＲコード（登録商標）を使って個人緊急情報を送信する使用時の処理動作について説明する。
図１１は、個人緊急情報送信システム１の処理動作を示すラダーチャートである。
本実施形態においては、例えば、サービス受入企業の社員が出張する場合について説明する。本人は、出張先の工事現場で使用するヘルメットにＱＲコード（登録商標）を添付しており、現地で緊急事態が発生して被害に遭ったものとする。
被害者本人以外の者が、自身の使用者端末５を取り出して、被害者本人のヘルメットに貼付されたＱＲコード（登録商標）に使用者端末５のカメラをかざす。すると、使用者端末５の読取り部がＱＲコード（登録商標）を読み取り、当該ＱＲコード（登録商標）からＵＲＬおよびライセンスＩＤに変換する（ステップＳ１１）。
そして、使用者端末５の送受信制御部は、ライセンスＩＤおよび送信要求を個人緊急情報送信装置２に送信する（ステップＳ１２）。なお、ここでの送信要求とは、個人緊急情報の送信要求である。
【００４３】
個人緊急情報送信装置２の送信制御部２０１は、通信部２１を介して、それらライセンスＩＤおよび送信要求を入力すると（ステップＳ１３）、ライセンスＩＤに基づいてグループＩＤが登録されているか否かを判定する（ステップＳ１４）。このとき、送信制御部２０１は、ライセンスＩＤに紐付けられているグループＩＤをライセンステーブル１００Ｔから読み出して、このグループＩＤの有無によってグループＩＤが登録されているか否かを判定する。
送信制御部２０１は、グループＩＤが登録されていると判定すると（ステップＳ１４：Ｙｅｓ）、現在が送信可能期間であるか否かを判定する（ステップＳ１５）。すなわち、送信制御部２０１は、ライセンスＩＤに対応するグループＩＤの送信可能期間の開始日および終了日をグループテーブル２００Ｔから読み出し、ライセンスＩＤを入力した時が、それら開始日から終了日の間にあるか否かを判定する。
【００４４】
送信制御部２０１は、現在が送信可能期間であると判定すると（ステップＳ１５：Ｙｅｓ）、送信ステイタス情報がオンであるか否かを判定する（ステップＳ１６）。すなわち、送信制御部２０１は、ライセンスＩＤに対応する送信ステイタス情報をライセンステーブル１００Ｔから読み出して、送信ステイタスの状態を判定する。
送信制御部２０１は、送信ステイタス情報がオンであると判定すると（ステップＳ１６：Ｙｅｓ）、個人緊急情報が送信可能であることを示す送信許可を使用者端末５に送信する（ステップＳ１８）。
また、送信制御部２０１は、ステップＳ１４においてグループＩＤが登録されていないと判定し（ステップＳ１４：Ｎｏ）、ステップＳ１５において送信可能期間でないと判定し（ステップＳ１５：Ｎｏ）、ステップＳ１６において送信ステイタス情報がオンでないと判定すると（ステップＳ１６：Ｎｏ）、ライセンスＩＤが有効でない旨を使用者端末５に送信し、使用者端末５の表示部に表示させる（ステップＳ１７、送信制御ステップ）。
【００４５】
使用者端末５の送受信制御部は、個人緊急情報送信装置２が送信した送信許可を入力すると、個人緊急情報送信装置２にアクセスし、ブラウザによって、図１２（ａ）に示すアラート画面を表示部が表示する（ステップＳ１９）。
そして、送受信制御部は、読み取り確認がＹｅｓかＮｏかを判定する（ステップＳ２０）。すなわち、表示部がアラート画面を示している状態で、操作者が、「はい」または「いいえ」をタッチ操作することにより、送受信制御部は、読み取り確認のＹｅｓまたはＮｏを判定する。
送受信制御部は、読み取り確認がＮｏであると判定すると（ステップＳ２０：Ｎｏ）、図１２（ｂ）に示す再読み込み画面を表示部が表示する（ステップＳ２１）。
そして、送受信制御部は、読み取り確認がＹｅｓかＮｏかを再度判定する（ステップＳ２２）。すなわち、表示部が再読み込み画面を示している状態で、操作者が、「読み取る」をタッチ操作することにより、送受信制御部は、読み取り確認のＹｅｓを判定する。
送受信制御部は、操作者が「読み取る」をタッチ操作しないと（ステップＳ２２：Ｎｏ）、そのまま処理を終了する。
【００４６】
送受信制御部は、ステップＳ２０において読み取り確認がＹｅｓであると判定し（ステップＳ２０：Ｙｅｓ）、ステップＳ２２において再度の読み取り確認がＹｅｓであると判定すると（ステップＳ２２：Ｙｅｓ）、図１３に示す個人状態確認画面を表示部が表示する（ステップＳ２３）。
最初に、表示部は、図１３（ａ）に示す意識情報確認画面を表示する。そして、操作者は、被害者本人の状態に応じて「はい」または「いいえ」をタッチ操作する。次いで、表示部は、図１３（ｂ）に示すケガ情報確認画面を表示すると、操作者は、被害者本人の状態に応じて「はい」または「いいえ」をタッチ操作する。さらに、表示部は、図１３（ｃ）に示す出血情報確認画面を表示すると、操作者は、被害者本人の状態に応じて「はい」または「いいえ」をタッチ操作する。
【００４７】
これらの操作者からのタッチ操作に基づいて、個人状態情報生成部は、意識情報、ケガ情報および出血情報を含む個人状態情報を生成する。
そして、位置情報取得部がＧＰＳによって現在の位置情報を取得する（ステップＳ２４）。
さらに、送受信制御部は、個人状態情報および位置情報を個人緊急情報送信装置２に送信する（ステップＳ２５）。
【００４８】
個人緊急情報送信装置２の送信制御部２０１は、個人状態情報および位置情報を入力すると（ステップＳ２６）、これら個人状態情報および位置情報を、本人用端末、統括者用端末および緊急連絡先端末に送信する（ステップＳ２７）。そして、本人用端末、統括者用端末および緊急連絡先端末のそれぞれの表示部が、個人状態情報および位置情報を表示する。これにより、被害者本人、この被害者本人が属するグループの責任者およびこの被害者本人と関係する緊急連絡先の者に、被害者本人が被害に遭ったこと、被害場所および被害者本人の状態などを迅速に知らせることができる。
【００４９】
さらに、送信制御部２０１は、当該ライセンスＩＤに対応する個人属性情報および個人医療情報をメイン個人属性情報テーブル３００Ｔ、個人緊急連絡先情報テーブル４００Ｔおよび個人医療情報テーブル５００Ｔから読み出す（ステップＳ２８）。このとき、送信制御部２０１は、個人緊急連絡先情報テーブル４００Ｔから個人緊急連絡先の電話番号を含めて読み出す。そして、送信制御部２０１は、個人緊急連絡先の電話番号を含む個人属性情報および個人医療情報を使用者端末５に送信する（ステップＳ２９、送信制御ステップ）。
使用者端末５の送受信制御部が、それら個人属性情報および個人医療情報を入力すると、表示部が個人属性情報および個人医療情報を表示するとともに、個人緊急連絡先の電話番号に電話するための電話アイコンを表示する（ステップＳ３０）。
図１４は、使用者端末５の表示部が表示する個人属性情報、個人医療情報および電話アイコンの表示画面を示すものである。
これにより、操作者は、被害者本人の個人属性情報および個人医療情報を知ることができ、または医療従事者などの他者に知らせることができるだけでなく、被害者本人と関係する緊急連絡先の者に電話をかけて緊急事態を知らせることができる。
【００５０】
次に、個人緊急情報送信装置２の各種管理機能等の処理動作について説明する。
図１５は、各種管理機能等の処理動作を示すフローチャートである。
期間情報設定登録部２０２ｅが送信可能期間の開始日および終了日を登録すると、メイン制御部２００は、送信可能期間を監視する（ステップＳ５１）。すなわち、メイン制御部２００は、生成する計時情報が送信可能期間の終了日から１週間前に到達したか否かを定期的に判定する。そして、メイン制御部２００は、１週間前に到達していないと判定すると、送信可能期間の監視を続け、１週間前に到達したと判定すると、メール送信部２０２ｆにメール送信指示を出力する。メール送信部２０２ｆは、メール送信指示を入力すると、リマインドメールを生成し通信部２１を介して当該リマインドメールを管理者端末３に送信する（ステップＳ５２）。
【００５１】
リマインドメールとは、送信可能期間が１週間後に終了する旨をサービス受入企業の管理者に注意喚起するためのメールであり、グループ情報登録画面へのリンクを貼って送信可能期間の延長を案内するためのメールである。リマインドメールには、例えば、「○○グループの送信可能期間の終了日が１週間後に迫っています。延長する場合は、『延長』をクリックしてください」等と記載されている。そして、操作者が「延長」をクリックすると、グループ設定登録部２０２ｃがグループ情報登録画面を表示部３４に表示させ、送信可能期間の終了日の延長操作を受け付ける。
なお、グループ設定登録部２０２ｃが終了日を延長すると、ステップＳ５１に戻ってメイン制御部２００が送信可能期間を監視し続けることは言うまでもない。
【００５２】
さらに、メイン制御部２００は、送信可能期間の監視を続け、計時情報が送信可能期間の終了日を過ぎたか否かを定期的に判定する。そして、メイン制御部２００は、終了日を過ぎたと判定すると、当該送信可能期間が設定されているグループＩＤをグループテーブル２００Ｔから読み出し、当該グループＩＤと送信ステイタス情報をポーズにするオートポーズ指示とを送信ステイタス設定登録部２０２ｄに出力する。送信ステイタス設定登録部２０２ｄは、グループＩＤおよびオートポーズ指示を入力すると、当該グループＩＤに紐付けられている全てのライセンスＩＤの送信ステイタス情報をポーズに切り換える（ステップＳ５３）。すなわち、送信ステイタス設定登録部２０２ｄは、送信可能期間が過ぎた時に、同一グループに属する全ての個人の送信ステイタス情報をポーズにする（オートポーズ機能）。
なお、ここでの「終了日が過ぎた時」とは、終了日が過ぎた瞬間をいうものであり、例えば、終了日が１月１日に設定されている場合に、１月２日午前１２時００分になった瞬間をいう。
【００５３】
このようなオートポーズの期間は１週間に設定されている。すなわち、終了日を過ぎた時から１週間以内であれば、操作者の操作に応じて、送信ステイタス設定登録部２０２ｄは、送信ステイタス情報をポーズからオンやオフに切り換える。
なお、グループ設定登録部２０２ｃが終了日を延長すると、ステップＳ５１に戻ってメイン制御部２００が送信可能期間を監視し続けることは言うまでもない。
【００５４】
さらに、メイン制御部２００は、送信可能期間の監視を続け、終了日を過ぎた時から１週間経ったか否かを定期的に判定する。そして、メイン制御部２００は、１週間経ったと判定すると、当該送信可能期間が設定されているグループＩＤをグループテーブル２００Ｔから読み出し、当該グループＩＤと送信ステイタス情報をオフにするオートオフ指示を送信ステイタス設定登録部２０２ｄに出力し、当該グループＩＤと医療情報を削除する削除指示とを削除制御部２０２ｇに出力する。
送信ステイタス設定登録部２０２ｄは、グループＩＤおよびオートオフ指示を入力すると、当該グループＩＤに紐付けられている全てのライセンスＩＤの送信ステイタス情報をオフに切り換える（ステップＳ５４）。すなわち、送信ステイタス設定登録部２０２ｄは、送信可能期間が過ぎると、同一グループに属する全ての個人の送信ステイタス情報をオフにする（オートオフ機能）。
なお、ここでの「送信可能期間が過ぎると」とは、送信可能期間が過ぎた時から所定の期間（例えば、１週間など）を過ぎた時をいう。
【００５５】
また、削除制御部２０２ｇは、グループＩＤおよび削除指示を入力すると、当該グループＩＤに紐付けられている全てのライセンスＩＤに対応する個人医療情報を記憶部２２から削除する（ステップＳ５４）。すなわち、削除制御部２０２ｇは、送信可能期間が過ぎると、同一グループに属する全ての個人の個人医療情報を削除する（個人医療情報のオート削除、送信ステイタス切り換えステップ）。
なお、このとき、削除制御部２０２ｇは、個人緊急情報を残したまま個人医療情報のみを削除する。
【００５６】
また、期間情報設定登録部２０２ｅは、送信可能期間の開始日および終了日を設定しても、操作者の操作によって、送信可能期間を任意のタイミングで短縮および延長する。
また、送信ステイタス設定登録部２０２ｄは、最初に送信ステイタス情報をオンに設定しても、操作者の操作によって、オンとポーズとを任意のタイミングで切り換え、オンからオフおよびポーズからオフへと任意のタイミングで切り換える。
【００５７】
以上より、本実施形態における個人緊急情報送信装置２、個人緊急情報送信方法、個人緊急情報送信プログラムおよび個人緊急情報送信システム１によれば、緊急時に個人緊急情報を送信することができるようにしつつ、セキュリティを向上させることができる。すなわち、送信制御部２０１は、個人緊急情報送信装置２が送信要求を入力した時が送信可能期間であって、かつ送信ステイタス情報がオンの場合に、個人緊急情報を使用者端末５に送信することから、緊急事態が発生したときに所定の条件を満たせば個人緊急情報を使用者端末５に送信することができる。また、送信制御部２０１は、送信要求を入力した時が送信可能期間であって、かつ送信ステイタス情報がオフまたはポーズの場合には、個人緊急情報を使用者端末５に送信しないことから、所定の条件に合わない場合に個人緊急情報の安易な送信を防止することができる。
また、送信ステイタス設定登録部２０２ｄは、送信可能期間が過ぎると、送信ステイタス情報をオフに切り換えることから、送信可能期間外の場合に、個人緊急情報の安易な送信を防止することができる。
また、送信ステイタス設定登録部２０２ｄは、送信可能期間が過ぎると、グループに属するすべてのライセンスＩＤに対応する送信ステイタス情報をオフにすることから、同一グループに属する全ての個人緊急情報を恒久的に送信不可にすることができ、セキュリティをさらに向上させることができる。
【００５８】
また、送信ステイタス設定登録部２０２ｄは、送信可能期間が過ぎた時に、送信ステイタス情報をポーズに切り換え、所定の期間のうちに送信可能期間が延長されない場合に、送信ステイタス情報をオフに切り換えることから、送信可能期間が過ぎた時から所定の期間の間に、送信可能期間の延長をする一時的延長可能期間を設けることができる。すなわち、一時的延長可能期間において個人緊急情報を一時的に送信不可にすることができるだけでなく、サービス受入企業の状況に応じて、送信可能期間の終了日を延長してオンに戻したり直ちにオフに切り換えたりすることができ、利便性を向上させることができる。
また、送信ステイタス設定登録部２０２ｄは、送信可能期間が過ぎた時に、グループに属するすべてのライセンスＩＤに対応する送信ステイタス情報をポーズにすることから、同一グループに属する全ての個人緊急情報を一時的に送信不可にすることができ、さらに利便性を向上させることができる。
【００５９】
また、メール送信部２０２ｆは、送信可能期間が過ぎる前に、注意を喚起しかつ期間情報設定登録部２０２ｅによる送信可能期間の延長を案内するメールを管理者端末３に送信することから、管理者にグループの送信可能期間の終了日を事前に案内することができ、必要に応じて延長操作を行ってもらうことができる。これにより、さらに利便性を向上させることができる。
また、送信ステイタス設定登録部２０２ｄは、任意のタイミングによる操作者の操作に応じて、それぞれの送信ステイタス情報をオンからオフまたはポーズに当該任意のタイミングで択一的に切り換え、また、それぞれの送信ステイタス情報をポーズからオンに当該任意のタイミングで切り換えることから、登録された本人の都合や状況に応じて、送信ステイタス情報を個別に柔軟に切り換えることができ、さらに利便性を向上させることができる。
【００６０】
また、送信制御部２０１は、送信要求を入力すると、グループＩＤが登録されている場合に、個人緊急情報、期間情報および送信ステイタス情報を記憶部２２から読み出し、所定の条件を満たす場合に、個人緊急情報を使用者端末５に送信し、一方グループＩＤが登録されていない場合には、個人緊急情報を使用者端末５に送信しないことから、グループが登録されていない状態で個人緊急情報を登録しても、個人緊急情報を安易に送信することを防止することができ、セキュリティおよび利便性を向上させることができる。
また、削除制御部２０２ｇは、送信可能期間が過ぎると、グループに属するすべてのライセンスＩＤに対応する個人緊急情報のうちの個人属性情報を残して個人医療情報を記憶部２２から削除することから、セキュリティを向上させることができる。
【００６１】
なお、本発明の技術範囲は上記の実施形態に限定されるものではなく、本発明の趣旨を逸脱しない範囲において、種々の変更を加えることが可能である。
例えば、本実施形態においては、ライセンスＩＤの登録をライセンス登録端末４の操作部４３による操作によって行っているが、これに限ることはなく、ライセンス登録端末４を設けることなく、個人緊急情報送信装置２の操作部２３による操作によって、ライセンス設定登録部２０２ａがライセンスを登録してもよい。また、管理者端末３からの指示によってライセンス設定登録部２０２ａがライセンスを登録してもよい。
また、個人緊急情報の登録を管理者端末３の操作部３３による操作によって行っているが、これに限ることはなく、管理者端末３を設けることなく、操作部２３による操作またはライセンス登録端末４の操作部４３による操作によって、個人緊急情報設定登録部２０２ｂが個人緊急情報を登録してもよい。
【００６２】
また、管理者端末３がサービス受入企業内に設けられるとしたが、これに限ることはなく、適宜変更可能である。例えば、個人宅、施設または役所などであってもよい。
また、サービス受入企業の社員が出張する場合について説明しているが、これに限ることはなく、適宜変更可能である。例えば、外出用、旅行用、徘徊者用または個人用などにも適用することができる。
また、ＱＲコード（登録商標）を利用しているが、これに限ることはなく、ＵＲＬおよびライセンスＩＤを入力し得るものであれば適宜変更可能である。例えば、ＱＲコード（登録商標）以外の二次元コードや、バーコードなどの一次元コードであってもよい。または、ＵＲＬおよびライセンスＩＤを文字によって直接表示するものであってもよい。
また、グループ設定登録部２０２ｃは、同時期に複数のグループにまたがってライセンスＩＤを紐付けないとしているが、これに限ることはなく、同時期に複数のグループにまたがってのライセンスＩＤの紐付けも可能である。
【００６３】
また、図２に示すＥＲ図において、記憶する情報や組み合わせは、適宜変更可能である。例えば、ライセンステーブル１００Ｔおよびメイン個人属性情報テーブル３００Ｔを一つのテーブルにしたり、メイン個人属性情報テーブル３００Ｔおよび個人緊急連絡先情報テーブル４００Ｔを一つのテーブルにしたり、グループテーブル２００Ｔおよびメイン個人属性情報テーブル３００Ｔを一つのテーブルにしたりしてもよい。また、グループテーブル２００Ｔから送信可能期間の開始日および終了日を分離させて、送信可能期間テーブルを設けてもよい。もちろん、各テーブル内において記憶する情報を変更することができることは言うまでもない。
【００６４】
また、図３に示す処理動作はあくまでも一例を示すものであって、登録の順番は適宜変更可能である。
また、図３に示すステップＳ５において、個人緊急情報設定登録部２０２ｂは、グループＩＤが登録されていないと、個人医療情報を登録しないようにしているが、これに限ることはなく、グループＩＤが登録されていなくても個人医療情報を登録してもよい。
また、メール送信部２０２ｆは、送信可能期間の終了日から１週間前にリマインドメールを送信するとしているが、これに限ることはなく、適宜変更可能である。例えば、数時間、数日間、数週間または数ヶ月等であってもよい。
また、送信制御部２０１は、個人緊急連絡先の電話番号を使用者端末５に送信するとしているが、これに限ることはなく、当該電話番号を送信しなくてもよい。
【００６５】
また、送信制御部２０１は、図１１に示すステップＳ２７において、個人状態情報および位置情報を各端末に送信しているが、これに限ることはなく、送信する端末や送信する情報は適宜変更可能である。もちろん、個人状態情報および位置情報を各端末に送信しなくてもよい。この場合、ステップＳ２３、２４を省略し、ステップＳ２５において、送受信制御部が送信要求を送信するようにしてもよい。
また、ステップＳ１９から２２のアラート確認の処理動作も省略することができる。
また、各登録画面を図示しているが、あくまでも一例を示すものであり、登録項目や順番、配置などは適宜変更可能であることは言うまでもない。
【００６６】
また、送信ステイタス設定登録部２０２ｄは、任意のタイミングで送信ステイタス情報を切り換えるとしたが、送信可能期間においてポーズに切り換えた場合、メール送信部２０２ｆは、送信ステイタス設定登録部２０２ｄがポーズに切り換えた時から所定の期間経過しても送信可能期間内にある場合、所定の期間が経過した時にリマインドメールを管理者端末３に送信してもよい。所定の期間としては、例えば、数時間、３日間等の数日間、数週間または数ヶ月等に設定できる。これにより、送信ステイタス情報がポーズにしたまま放置されることを防止することができる。
また、図４に示す登録ライセンス一覧画面において、ライセンス設定登録部２０２ａは、ライセンス名の一覧に送信ステイタス情報を対応付けて表示部３４に表示させることにより、複数のライセンスをまとめた送信ステイタス情報をリスト表示させることができる。なお、このとき、送信ステイタス設定登録部２０２ｄは、複数の送信ステイタス情報の変更を一括して行うことができる。
【００６７】
また、送信ステイタス情報として、オン、オフまたはポーズの３択としているが、これに限ることはなく、ポーズをなくしてオンまたはオフの２択としてもよいし、オフをなくしてオンまたはポーズの２択としてもよい。
また、期間情報設定登録部２０２ｅが送信可能期間を登録するとしているが、これに限ることはなく、期間情報設定登録部２０２ｅはなくてもよい。
また、送信ステイタス設定登録部２０２ｄは、送信可能期間が過ぎた時に、送信ステイタス情報をポーズに切り換えるとしているが、これに限ることはなく、ポーズに切り換えなくてもよい。
また、送信ステイタス設定登録部２０２ｄは、送信可能期間が過ぎた時から所定の期間のうちに送信可能期間が延長されない場合に、送信ステイタス情報をオフに切り換えるとしたが、これに限ることはなく、オフに切り換えなくてもよい。また、所定の期間としては、１週間としているが、これに限ることはなく、適宜変更可能である。例えば、数時間、数日間、数週間または数ヶ月等であってもよい。なお、所定の期間をゼロにすることもできる。この場合、送信ステイタス設定登録部２０２ｄは、送信可能期間が過ぎた時に送信ステイタス情報をオフに切り換えるようにしてもよい。
【００６８】
また、メール送信部２０２ｆを設けるとしているが、これに限ることはなく、メール送信部２０２ｆが設けられることなくリマインドメールが送信されなくてもよい。
また、送信ステイタス設定登録部２０２ｄは、操作者からの操作により、送信ステイタス情報を任意のタイミングで切り換えるとしているが、これに限ることはなく、任意のタイミングで切り換えないようにしてもよい。
また、グループ設定登録部２０２ｃがグループ情報を登録するとしているが、これに限ることはなく、グループ設定登録部２０２ｃが設けられることなくグループの登録が行われなくてもよい。この場合、オートオフ、オートポーズまたは個人医療情報のオート削除は、各ライセンスＩＤごとに行われるようにしてもよい。
また、削除制御部２０２ｇを設けるとしているが、これに限ることはなく、削除制御部２０２ｇが設けられることなく、個人医療情報がオート削除されなくてもよい。
【００６９】
また、個人緊急情報送信システム１、個人緊急情報送信装置２、管理者端末３、ライセンス登録端末４および使用者端末５を構成する前述の各機能部は、単体のコンピュータに備えられていてもよいし、通信ネットワークを介して通信可能な複数のコンピュータに分散して備えられていてもよい。例えば、個人緊急情報送信装置２としては、登録制御部２０２、記憶部２２または表示部２４等を備えていなくてもよく、外部の記憶部から送信制御部２０１が通信部２１を介して個人緊急情報を入力することができる。
また、個人緊急情報送信システム１、個人緊急情報送信装置２および管理者端末３の機能を実現するためのプログラムをコンピュータ読み取り可能な記録媒体に記録して、この記録媒体に記録されたプログラムをコンピュータシステムに読み込ませ、実行することにより各種処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【００７０】
また、「コンピュータ読み取り可能な記録媒体」とは、フレキシブルディスク、光磁気ディスク、ＲＯＭ、ＣＤ−ＲＯＭ、ＤＶＤ、ＵＳＢ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
また、以上の実施形態や変形例を種々組み合わせることができることは言うまでもない。
【００７１】
既述の実施形態に関し、さらに以下の付記を示す。
（付記１）
使用者端末が個人識別情報を入力し前記個人識別情報および送信要求を送信すると、前記個人識別情報に対応する個人緊急情報を前記使用者端末に送信する個人緊急情報送信装置であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を備える個人緊急情報送信装置。
【００７２】
（付記２）
前記送信ステイタス切り換え部は、
前記送信可能期間が過ぎた時に、前記送信ステイタス情報を前記ポーズに切り換え、所定の期間のうちに前記送信可能期間が延長されない場合に、前記送信ステイタス情報を前記オフに切り換える付記１に記載の個人緊急情報送信装置。
【００７３】
（付記３）
前記送信可能期間が過ぎる前に、注意を喚起しかつ前記送信可能期間の延長を案内するメールを管理者端末に送信するメール送信部と
を備える付記１または２に記載の個人緊急情報送信装置。
【００７４】
（付記４）
前記送信ステイタス切り換え部は、
操作者からの指示操作により、前記送信ステイタス情報を前記オンから前記オフもしくは前記ポーズに選択的に切り換え、または、前記送信ステイタス情報を前記ポーズから前記オンに切り換える付記１から３のいずれか一項に記載の個人緊急情報送信装置。
【００７５】
（付記５）
前記記憶部は、一または複数の前記個人識別情報に対応するグループごとのグループ識別情報の登録有無を記憶しており、
前記送信制御部は、
前記使用者端末から送信される前記個人識別情報および前記送信要求を入力すると、前記記憶部から前記グループ識別情報の登録有無を読み出し、前記グループ識別情報が登録されている場合に、前記個人識別情報に対応する前記個人緊急情報、前記期間情報および前記送信ステイタス情報を前記記憶部から読み出し、一方前記グループ識別情報が登録されていない場合には、前記個人緊急情報を前記端末に送信しない付記１から４のいずれか一項に記載の個人緊急情報送信装置。
【００７６】
（付記６）
前記記憶部は、一または複数の前記個人識別情報に対応するグループごとのグループ識別情報の登録有無を記憶しており、
前記送信可能期間が過ぎると、前記グループに属するすべての前記個人識別情報に対応する前記個人緊急情報のうちの個人属性情報を残して個人医療情報を前記記憶部から削除する削除制御部を備える付記１から５のいずれか一項に記載の個人緊急情報送信装置。
【００７７】
（付記７）
前記記憶部は、一または複数の前記個人識別情報に対応するグループごとのグループ識別情報の登録有無を記憶しており、
前記送信ステイタス切り換え部は、
前記送信可能期間が過ぎると、前記グループに属するすべての前記個人識別情報に対応する前記送信ステイタス情報を前記オフに切り換える付記１から６のいずれか一項に記載の個人緊急情報送信装置。
【００７８】
（付記８）
使用者端末が個人識別情報を入力し前記個人識別情報および送信要求を送信すると、前記個人識別情報に対応する個人緊急情報を前記使用者端末に送信する個人緊急情報送信方法であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信方法。
【００７９】
（付記９）
使用者端末が個人識別情報を入力し前記個人識別情報および送信要求を送信すると、前記個人識別情報に対応する個人緊急情報を前記使用者端末に送信する個人緊急情報送信装置における個人緊急情報送信プログラムであって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信プログラム。
【００８０】
（付記１０）
使用者端末と、前記使用者端末が個人識別情報を入力し前記個人識別情報および送信要求を送信すると、前記個人識別情報に対応する個人緊急情報を前記使用者端末に送信する個人緊急情報送信装置とを備える個人緊急情報送信システムであって、
前記緊急情報送信装置は、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を
を備える個人緊急情報送信システム。
【符号の説明】
【００８１】
１    個人緊急情報送信システム
２    個人緊急情報送信装置
３    管理者端末
４    ライセンス登録端末
５    使用者端末
２２  記憶部
２０１  送信制御部
２０２  登録制御部
２０２ｄ  送信ステイタス設定登録部（送信ステイタス切り換え部）
２０２ｆ  メール送信部
２０２ｇ  削除制御部
【図１】
2020107922.tif 000003
【図２】
2020107922.tif 000004
【図３】
2020107922.tif 000005
【図４】
2020107922.tif 000006
【図５】
2020107922.tif 000007
【図６】
2020107922.tif 000008
【図７】
2020107922.tif 000009
【図８】
2020107922.tif 000010
【図９】
2020107922.tif 000011
【図１０】
2020107922.tif 000012
【図１１】
2020107922.tif 000013
【図１２】
2020107922.tif 000014
【図１３】
2020107922.tif 000015
【図１４】
2020107922.tif 000016
【図１５】
2020107922.tif 000017
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
使用者端末が個人識別情報を入力し前記個人識別情報および送信要求を送信すると、前記個人識別情報に対応する個人緊急情報を前記使用者端末に送信する個人緊急情報送信装置であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を備える個人緊急情報送信装置。
【請求項２】
前記送信ステイタス切り換え部は、
前記送信可能期間が過ぎた時に、前記送信ステイタス情報を前記ポーズに切り換え、所定の期間のうちに前記送信可能期間が延長されない場合に、前記送信ステイタス情報を前記オフに切り換える請求項１に記載の個人緊急情報送信装置。
【請求項３】
前記送信可能期間が過ぎる前に、注意を喚起しかつ前記送信可能期間の延長を案内するメールを管理者端末に送信するメール送信部と
を備える請求項１または２に記載の個人緊急情報送信装置。
【請求項４】
前記送信ステイタス切り換え部は、
操作者からの指示操作により、前記送信ステイタス情報を前記オンから前記オフもしくは前記ポーズに選択的に切り換え、または、前記送信ステイタス情報を前記ポーズから前記オンに切り換える請求項１から３のいずれか一項に記載の個人緊急情報送信装置。
【請求項５】
前記記憶部は、一または複数の前記個人識別情報に対応するグループごとのグループ識別情報の登録有無を記憶しており、
前記送信制御部は、
前記使用者端末から送信される前記個人識別情報および前記送信要求を入力すると、前記記憶部から前記グループ識別情報の登録有無を読み出し、前記グループ識別情報が登録されている場合に、前記個人識別情報に対応する前記個人緊急情報、前記期間情報および前記送信ステイタス情報を前記記憶部から読み出し、一方前記グループ識別情報が登録されていない場合には、前記個人緊急情報を前記使用者端末に送信しない請求項１から４のいずれか一項に記載の個人緊急情報送信装置。
【請求項６】
前記記憶部は、一または複数の前記個人識別情報に対応するグループごとのグループ識別情報の登録有無を記憶しており、
前記送信可能期間が過ぎると、前記グループに属するすべての前記個人識別情報に対応する前記個人緊急情報のうちの個人属性情報を残して個人医療情報を前記記憶部から削除する削除制御部を備える請求項１から５のいずれか一項に記載の個人緊急情報送信装置。
【請求項７】
前記記憶部は、一または複数の前記個人識別情報に対応するグループごとのグループ識別情報の登録有無を記憶しており、
前記送信ステイタス切り換え部は、
前記送信可能期間が過ぎると、前記グループに属するすべての前記個人識別情報に対応する前記送信ステイタス情報を前記オフに切り換える請求項１から６のいずれか一項に記載の個人緊急情報送信装置。
【請求項８】
使用者端末が個人識別情報を入力し前記個人識別情報および送信要求を送信すると、前記個人識別情報に対応する個人緊急情報を前記使用者端末に送信する個人緊急情報送信方法であって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信方法。
【請求項９】
使用者端末が個人識別情報を入力し前記個人識別情報および送信要求を送信すると、前記個人識別情報に対応する個人緊急情報を前記使用者端末に送信する個人緊急情報送信装置における個人緊急情報送信プログラムであって、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御ステップと、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御ステップと、
前記送信可能期間が過ぎると、前記送信ステイタス情報を前記オフに切り換える送信ステイタス切り換えステップと
を含む個人緊急情報送信プログラム。
【請求項１０】
使用者端末と、前記使用者端末が個人識別情報を入力し前記個人識別情報および送信要求を送信すると、前記個人識別情報に対応する個人緊急情報を前記使用者端末に送信する個人緊急情報送信装置とを備える個人緊急情報送信システムであって、
前記個人緊急情報送信装置は、
前記個人識別情報に対応付けられた前記個人緊急情報と、前記個人緊急情報を送信することができる送信可能期間を含む期間情報と、前記個人緊急情報が送信可能な状態をオンとし前記個人緊急情報が送信不可であってかつ前記オンに切り換え不可な状態をオフとし前記個人緊急情報が送信不可であってかつ前記オンに切り替え可能な状態をポーズとして、これらオン、オフまたはポーズを選択的に含む送信ステイタス情報とを記憶部に記憶させる登録制御部と、
前記使用者端末から送信される前記個人識別情報および前記送信要求を入力すると、前記個人識別情報に対応する前記個人緊急情報、前記期間情報および前記送信ステイタス情報を前記記憶部から読み出し、前記送信要求を入力した時が前記送信可能期間であって、かつ前記送信ステイタス情報が前記オンの場合に、前記個人緊急情報を前記使用者端末に送信し、一方前記送信要求を入力した時が前記送信可能期間であって、かつ前記送信ステイタス情報が前記オフまたは前記ポーズの場合には、前記個人緊急情報を前記使用者端末に送信しない送信制御部とを備え、
前記登録制御部は、
前記送信可能期間が過ぎると、前記送信ステイタス情報を前記オフに切り換える送信ステイタス切り換え部を
を備える個人緊急情報送信システム。